(57)【特許請求の範囲】
【請求項１】
ＣＤＭＡ無線通信装置において、
サーチコードを拡散させるための拡散コードを生成する生成手段と、
前記サーチコードを受信したタイミングを前記生成手段に通知するタイミング通知手段と、
各パスの受信レベルを測定する手段と、
通知された前記タイミングで前記生成手段から送信された拡散コードを用いて受信信号から前記サーチコードを減算することにより前記サーチコードが個別物理チャネルに与える干渉を除去する減算手段と
を備え、前記減算手段は、各パスの該受信レベルに応じて、前記拡散コードを用いて受信信号から前記サーチコードを減算することを特徴とするＣＤＭＡ無線通信装置。
【請求項２】
請求項１に記載のＣＤＭＡ無線通信装置において、
前記タイミング通知手段は、複数のパスのうちいずれかのパスにおいてサーチコードを受信したタイミングを通知することを特徴とするＣＤＭＡ無線通信装置。
【請求項３】
ＣＤＭＡ無線通信装置において、
サーチコードを拡散させるための第１拡散コードを生成する第１拡散コード生成手段と、
サーチコード以外の信号を拡散させるための第２拡散コードを生成する第２拡散コード生成手段と、
前記第１拡散コードと前記第２拡散コードとの相互相関値を演算する相互相関値演算手段と、
前記サーチコードを受信したタイミングを前記相互相関値演算手段に通知するタイミング通知手段と、
各パスの受信レベルを測定する手段と、
通知された前記タイミングで前記相互相関値演算手段から送信された相互相関値を用いて受信信号から前記サーチコードをベクトル減算することにより前記サーチコードが個別物理チャネルに与える干渉を除去するベクトル減算手段と
を備え、前記ベクトル減算手段は、各パスの該受信レベルに応じて、前記相互相関値を用いて受信信号から前記サーチコードをベクトル減算することを特徴とするＣＤＭＡ無線通信装置。
ことを特徴とするＣＤＭＡ無線通信装置。
【請求項４】
請求項３に記載のＣＤＭＡ無線通信装置において、
前記タイミング通知手段は、複数のパスのうちいずれかのパスにおいてサーチコードを受信したタイミングを通知することを特徴とするＣＤＭＡ無線通信装置。
【請求項５】
ＣＤＭＡ無線通信方法において、
サーチコードを拡散させるための拡散コードを生成する生成ステップと、
前記サーチコードを受信したタイミングを通知するタイミング通知ステップと、
該タイミング通知ステップにおいて通知されたタイミングで前記生成ステップにおいて生成された拡散コードを送信する送信ステップと、
各パスの受信レベルを測定するステップと、
該送信ステップにおいて送信された拡散コードを用いて受信信号から前記サーチコードを減算することにより前記サーチコードが個別物理チャネルに与える干渉を除去する減算ステップと
を備え、前記減算ステップは、各パスの該受信レベルに応じて、前記拡散コードを用いて受信信号から前記サーチコードを減算することを特徴とするＣＤＭＡ無線通信方法。
【請求項６】
請求項５に記載のＣＤＭＡ無線通信方法において、
前記タイミング通知ステップは、複数のパスのうちいずれかのパスにおいてサーチコードを受信したタイミングを通知することを特徴とするＣＤＭＡ無線通信方法。
【請求項７】
ＣＤＭＡ無線通信方法において、
サーチコードを拡散させるための第１拡散コードを生成する第１拡散コード生成ステップと、
サーチコード以外の信号を拡散させるための第２拡散コードを生成する第２拡散コード生成ステップと、
前記第１拡散コードと前記第２拡散コードとの相互相関値を演算する相互相関値演算ステップと、
前記サーチコードを受信したタイミングを通知するタイミング通知ステップと、
前記タイミング通知ステップにおいて通知されたタイミングで前記相互相関値演算ステップにおいて演算された相互相関値を送信するステップと、
各パスの受信レベルを測定するステップと、
該送信するステップにおいて送信された相互相関値を用いて受信信号から前記サーチコードをベクトル減算するベクトル減算ステップと
を備え、前記ベクトル減算ステップは、各パスの該受信レベルに応じて、前記相互相関値を用いて受信信号から前記サーチコードをベクトル減算することを特徴とするＣＤＭＡ無線通信方法。
【請求項８】
請求項７に記載のＣＤＭＡ無線通信方法において、
前記タイミング通知ステップは、複数のパスのうちいずれかのパスにおいてサーチコードを受信したタイミングを通知することを特徴とするＣＤＭＡ無線通信方法。
【発明の詳細な説明】
【０００１】
【発明の属する技術分野】
本発明は、ＣＤＭＡ無線通信装置およびＣＤＭＡ無線通信方法に関する。
【０００２】
【従来の技術】
図１は、従来技術によるＣＤＭＡ（Ｃｏｄｅ  Ｄｉｖｉｓｉｏｎ  Ｍｕｌｔｉｐｌｅ  Ａｃｃｅｓｓ）無線通信方式における物理チャネルの信号フォーマットの一例を示す図である。
【０００３】
ＣＤＭＡ無線通信方式における物理チャネルは、一般に、６４０ｍｓのスーパーフレームで構成され、各スーパーフレームは、６４個の無線フレーム（１０ｍｓ）で構成され、さらに各無線フレームは、１６個のタイムスロット（０．６２５ｍｓ）で構成される。また、とまり木チャネル（移動局がセル選択を行うためのキャリアセンス用の物理チャネルであり、局間非同期システムにおいても移動局が容易に同期を引き込むことができるように特殊な拡散処理が適用されたもの）や個別物理チャネル毎にタイムスロットの構成は、図１に示すように異なる。とまり木チャネルは、一般に、図1に示すように第1とまり木チャネルと第２とまり木チャネルが１組となって存在する。ここで、図１において、タイムスロット構成に示された数字はシンボル数である。とまり木チャネルのタイムスロットは、パイロットシンボル同期検波に用いるパイロットシンボル（４シンボル）と、論理チャネル用のシンボル（５シンボル）と、ロングコードマスクシンボル等と称されるサーチコード（１シンボル）とから構成される。ここで、パイロットシンボルと論理チャネル用シンボルは、ロングコードおよびショートコードにより拡散されているが、サーチコードは、後述するように、移動局において高速セルサーチに使用されるため、他のシンボルと異なりショートコードのみで拡散されている。個別物理チャネルは、パイロットシンボル（４シンボル）、論理チャネル用のシンボル（３５シンボル）のほかに、高速Ｃｌｏｓｅｄ−ｌｏｏｐ送信電力制御において使用される送信電力制御（ＴＰＣ）シンボル（１シンボル）を含む。図1において、チップレートを４０９６Ｍチップ／秒とすると、１無線フレームは４０９６０チップに、１タイムスロットは２５６０チップに相当する。また、とまり木チャネルの１シンボルは２５６チップに、個別物理チャネルの１シンボルは６４チップに相当する。
【０００４】
ＣＤＭＡ無線通信方式において、上述したように、伝送信号は非常に長い周期で（図1において、ロングコード周期は、１０ｍｓとなる）、かつ無数の種類のロングコードで拡散されている。ここで、異なるロングコードの相関は小さく、また、同一ロングコードにおいても、位相の異なるものにおいても、相関は小さくなる。そのため、無線通信を確立するためには、ロングコードの種類の特定や、ロングコードタイミングの検出を行うが、このことは、一般に「セルサーチ」と称されている。セルサーチを高速に行うために、周期の短いショートコードだけで拡散された信号であるサーチコード（ロングコードマスクシンボル）を含むチャネル（とまり木チャネル）を利用して、セルサーチを行う技術が従来より存在する。このサーチコードは、周期が短いため逆拡散することが容易となり、高速にセルサーチを実行することができる。
【０００５】
【発明が解決しようとする課題】
しかし、サーチコードは、通信チャネルに対して非直交成分であり、相関が大きくなる。すなわち、各とまり木チャネルのサーチコード（１シンボル）部分に対応する個別物理チャネルの論理チャネル用シンボル（４シンボル分）は、非直交成分となるため相互に干渉となってしまい、その結果として相関が大きくなり伝送特性が悪化するという問題点がある。
【０００６】
また、マルチパスの場合には、あるパスのサーチコードがその他のパスの個別物理チャネルに対して、干渉を生じさせるという問題点がある。
【０００７】
本発明の目的は、上記問題点に鑑み、サーチコードの通信チャネルに対する干渉を除去できるＣＤＭＡ無線通信装置およびＣＤＭＡ無線通信方法を提供することにある。
【０００８】
【課題を解決するための手段】
請求項１に記載の発明は、ＣＤＭＡ無線通信装置において、サーチコードを拡散させるための拡散コードを生成する生成手段と、前記サーチコードを受信したタイミングを前記生成手段に通知するタイミング通知手段と、各パスの受信レベルを測定する手段と、通知された前記タイミングで前記生成手段から送信された拡散コードを用いて受信信号から前記サーチコードを減算することにより前記サーチコードが個別物理チャネルに与える干渉を除去する減算手段とを備え、前記減算手段は、各パスの該受信レベルに応じて、前記拡散コードを用いて受信信号から前記サーチコードを減算することを特徴とする。
【０００９】
請求項２に記載の発明は、請求項１に記載のＣＤＭＡ無線通信装置において、前記タイミング通知手段は、複数のパスのうちいずれかのパスにおいてサーチコードを受信したタイミングを通知することを特徴とする。
【００１０】
請求項３に記載の発明は、ＣＤＭＡ無線通信装置において、サーチコードを拡散させるための第１拡散コードを生成する第１拡散コード生成手段と、サーチコード以外の信号を拡散させるための第２拡散コードを生成する第２拡散コード生成手段と、前記第１拡散コードと前記第２拡散コードとの相互相関値を演算する相互相関値演算手段と、前記サーチコードを受信したタイミングを前記相互相関値演算手段に通知するタイミング通知手段と、各パスの受信レベルを測定する手段と、通知された前記タイミングで前記相互相関値演算手段から送信された相互相関値を用いて受信信号から前記サーチコードをベクトル減算することにより前記サーチコードが個別物理チャネルに与える干渉を除去するベクトル減算手段とを備え、前記ベクトル減算手段は、各パスの該受信レベルに応じて、前記相互相関値を用いて受信信号から前記サーチコードをベクトル減算することを特徴とする。
【００１１】
請求項４に記載の発明は、請求項３に記載のＣＤＭＡ無線通信装置において、前記タイミング通知手段は、複数のパスのうちいずれかのパスにおいてサーチコードを受信したタイミングを通知することを特徴とする。
【００１２】
請求項５に記載の発明は、ＣＤＭＡ無線通信方法において、サーチコードを拡散させるための拡散コードを生成する生成ステップと、前記サーチコードを受信したタイミングを通知するタイミング通知ステップと、該タイミング通知ステップにおいて通知されたタイミングで前記生成ステップにおいて生成された拡散コードを送信する送信ステップと、各パスの受信レベルを測定するステップと、該送信ステップにおいて送信された拡散コードを用いて受信信号から前記サーチコードを減算することにより前記サーチコードが個別物理チャネルに与える干渉を除去する減算ステップとを備え、前記減算ステップは、各パスの該受信レベルに応じて、前記拡散コードを用いて受信信号から前記サーチコードを減算することを特徴とする。
【００１３】
請求項６請求項に記載の発明は、５に記載のＣＤＭＡ無線通信方法において、前記タイミング通知ステップは、複数のパスのうちいずれかのパスにおいてサーチコードを受信したタイミングを通知することを特徴とする。
【００１４】
請求項７に記載の発明は、ＣＤＭＡ無線通信方法において、サーチコードを拡散させるための第１拡散コードを生成する第１拡散コード生成ステップと、サーチコード以外の信号を拡散させるための第２拡散コードを生成する第２拡散コード生成ステップと、前記第１拡散コードと前記第２拡散コードとの相互相関値を演算する相互相関値演算ステップと、前記サーチコードを受信したタイミングを通知するタイミング通知ステップと、前記タイミング通知ステップにおいて通知されたタイミングで前記相互相関値演算ステップにおいて演算された相互相関値を送信するステップと、各パスの受信レベルを測定するステップと、該送信するステップにおいて送信された相互相関値を用いて受信信号から前記サーチコードをベクトル減算することにより前記サーチコードが個別物理チャネルに与える干渉を除去するベクトル減算ステップとを備え、前記ベクトル減算ステップは、各パスの該受信レベルに応じて、前記相互相関値を用いて受信信号から前記サーチコードをベクトル減算することを特徴とする。
【００１５】
請求項８に記載の発明は、請求項７に記載のＣＤＭＡ無線通信方法において、前記タイミング通知ステップは、複数のパスのうちいずれかのパスにおいてサーチコードを受信したタイミングを通知することを特徴とする。
【００２０】
【発明の実施の形態】
以下、図面を参照しながら、本発明の実施形態について詳細に説明する。
【００２１】
（本発明の原理）
本発明の原理を図２および図３を参照して説明する。
【００２２】
図２は、ＣＤＭＡ移動通信方式の無線通信装置における拡散コード生成装置の構成の一例を示す図であり、拡散コード生成装置の構成のうち本発明に関係する部分のみを概念的に示している。
【００２３】
拡散コード生成装置２００は、少なくともショートコード生成器２０２、同相成分用ロングコード生成器２０４、直交成分用ロングコード生成器２０６、Ｃi演算部２０８およびＣq演算部２１０から構成される。ショートコード生成器２０２は、シンボル毎のショートコード周期の拡散コードであるショートコードＳＣ（Ｃｓi,Ｃｓq）を生成する。同相成分用ロングコード生成器２０４は、無線フレーム毎のロングコード周期（１０ｍｓ）の拡散コードであるロングコードのうちの同相成分ＬＣiを生成する。直交成分用ロングコード生成器２０６は、無線フレーム毎のロングコード周期（１０ｍｓ）の拡散コードであるロングコードのうちの直交成分ＬＣqを生成する。Ｃi演算部２０８は、ＳＣiとＬＣiの排他的論理和を演算してＣiを生成する。Ｃq演算部２１０は、ＳＣqとＬＣqの排他的論理和を演算してＣqを生成する。
【００２４】
図３は、ＣＤＭＡ移動通信方式の無線通信装置における拡散装置の構成の一例を示す図であり、拡散装置の構成のうち本発明に関係する部分のみを概念的に示している。
【００２５】
拡散装置３００は、少なくとも排他的論理和演算器３０２、Ｓi演算部３０４およびＳq演算部３０６から構成される。排他的論理和演算器３０２は入力される信号（すなわち、拡散されるシンボルＤ（Ｄi，Ｄq）および拡散符号Ｃ（Ｃi，Ｃq））の排他的論理和を演算する機能を有する。Ｓi演算部３０４は、数式１によりＳiを演算する機能を有する。
【００２６】
Ｓi＝ＤiＣi−ＤqＣq  ・・・（数式１）
また、Ｓq演算部３０６は、数式２によりＳqを演算する機能を有する。
【００２７】
Ｓq＝ＤiＣq＋ＤqＣi  ・・・（数式２）
数式１および数式２から、受信側の無線通信装置における逆拡散は、以下の数式３により表される（数式３において、ｊは任意の複素数である）。
【００２８】
（Ｓi＋ｊＳq）（Ｃi−ｊＣq）・・・（数式３）
すなわち、数式３は、数式４に展開される。
【００２９】
（Ｄi＋ｊＤq）（Ｃi＋ｊＣq）（Ｃi−ｊＣq）・・・（数式４）
ここで、とまり木チャネルのサーチコードをＤｓ（Ｄｓi,Ｄｓq）として、サーチコードに対する拡散コード（ショートコード）をＣｓ（Ｃｓi,Ｃｓq）とすると、数式１および数式２から、数式５および数式６が導かれる。
【００３０】
Ｓｓi＝ＤｓiＣｓi−ＤｓqＣｓq・・・（数式５）
Ｓｓq＝ＤｓiＣｓq＋ＤｓqＣｓi・・・（数式６）
ここで、Ｄｓ（Ｄｓi,Ｄｓq）は、無線通信装置において既知の値とする。例えば、Ｄｓ（Ｄｓi,Ｄｓq）の値を（１，１）として予め設定してもよい。
【００３１】
また、個別物理チャネルの論理チャネル用シンボルをＤｄ（Ｄｄi,Ｄｄq）として、論理チャネル用シンボルに対する拡散コードをＣｄ（Ｃｄi,Ｃｄq）とすると、数式１および数式２から、数式７および数式８が導かれる。
【００３２】
Ｓｄi＝ＤｄiＣｄi−ＤｄqＣｄq・・・（数式７）
Ｓｄq＝ＤｄiＣｄq＋ＤｄqＣｄi・・・（数式８）
ここで、とまり木チャネルと個別物理チャネルを伝送した場合、受信側では、数式９で示す信号を受信する。
【００３３】
（Ｓｓi＋Ｓｄi）＋ｊ（Ｓｓq＋Ｓｄq）・・・（数式９）
Ｉチャネル（Ｓｓi＋Ｓｄi）と、Ｑチャネル（Ｓｓq＋Ｓｄq）は直交しているため干渉は発生しないことになる。しかし、サーチコードは前述の如く非直交であるため、干渉が発生する。すなわち、数式９において、ＳｓiおよびＳｓqの値を０にすると、干渉が発生しないことになる。従って、本発明においては、数式９の演算において、ＳｓiおよびＳｓqを減算するように構成することにより、干渉を除去している。
【００３４】
また、受信側において、個別物理チャネルのサーチコードがかぶっている部分を逆拡散する場合は、数式１０で示す演算を行う。なお、ここでは個別物理チャネルの１シンボルが６４チップに対応する場合を一例に説明する。
【００３５】
【数１】
0003756369.tif 000002
【００３６】
ここで、数式１０を展開すると、数式１１が導かれる。
【００３７】
【数２】
0003756369.tif 000003
【００３８】
数式１１において、ＳｓiＣｄi、ＳｓqＣｄq、ＳｓqＣｄiおよびＳｓiＣｄqは、それぞれ直交しないもの（非直交成分）同士をかけることになるため干渉が生じ、相関が発生することになる。従って、本発明においては、数式１１の演算において、相互相関値である（ＳｓiＣｄi＋ＳｓqＣｄq）および（ＳｓqＣｄi―ＳｓiＣｄq）をベクトル減算するように構成することにより、干渉を除去している。
【００３９】
（第１実施形態）
図４は、本発明の第１実施形態が適用されるＣＤＭＡ移動通信方式の無線通信装置の構成の一例を示す図であり、無線通信装置の構成のうち本発明に関係する部分のみを概念的に示している。
【００４０】
ＣＤＭＡ無線通信装置４００は、少なくとも、アンテナ４０２、Ａ／Ｄコンバータ４０４、逆拡散器４０６、検波器４０８、ＲＡＫＥ合成器４１０、受信タイミング制御部４１２、サーチコード用ショートコード生成器４１４、Ｓｓi演算器４１６、Ｓｓq演算器４１８、Ｓｓi減算器４２０、Ｓｓq減算器４２２および拡散コード生成器４２４から構成される。通常、ＣＤＭＡ無線通信装置４００はマルチパス対応となっており、Ｓｓi減算器４２０、Ｓｓq減算器４２２、逆拡散器４０６および検波器４０８は、パス数分存在するが、本実施形態においては、説明の簡略化のためパス数を２つとした場合を一例として説明する。
【００４１】
アンテナ４０２は、Ａ／Ｄコンバータ４０４に接続され、電波を送信または受信する機能を有する。Ａ／Ｄコンバータ４０４は、アンテナ４０２および各パスのＳｓi減算器４２０およびＳｓq減算器４２２に接続され、受信されたアナログ信号をデジタル信号に変換する機能を有する。逆拡散器４０６は、Ｓｓi減算器４２０、Ｓｓq減算器４２２および検波器４０８に接続され、拡散コード生成器４２４で生成された拡散コードにより逆拡散を実行する機能を有する。検波器４０８は、逆拡散器４０６およびＲＡＫＥ合成器４１０に接続され、検波する機能を有する。ＲＡＫＥ合成器４１０は、各パスの検波器４０８に接続され、ＲＡＫＥ合成を行う機能を有する。受信タイミング制御部４１２は、サーチコード用ショートコード生成器４１４および拡散コード生成器４２４に接続され、全パスの受信タイミングを制御する機能を有し、各パスにおいてとまり木チャネルのサーチコードを受信したタイミングをサーチコード用ショートコード生成器４１４および拡散コード生成器４２４に送信する。サーチコード用ショートコード生成器４１４は、Ｓｓi演算器４１６およびＳｓq演算器４１８に接続され、サーチコード用のショートコードを生成し、該ショートコードを記憶する機能を有する。ここで、サーチコード用のショートコードはセル毎に固定であり、セルサーチ時において在圏するセルの拡散コード情報等により判明するため、セルサーチ時にサーチコード用ショートコード生成器４１４においてセルサーチ用ショートコードを生成し、記憶してもよい。Ｓｓi演算器４１６は、サーチコード用ショートコード生成器４１４および各パスのＳｓi減算器４２０に接続され、サーチコード用ショートコード生成器４１４で生成されたＣｓiから、数式５により、Ｓｓiを演算して、Ｓｓi減算器４２０に送信する機能を有する。Ｓｓq演算器４１８は、サーチコード用ショートコード生成器４１４および各パスのＳｓq減算器４２２に接続され、サーチコード用ショートコード生成器４１４で生成されたＣｓqから、数式６により、Ｓｓqを演算して、Ｓｓq減算器４２２に送信する機能を有する。Ｓｓi減算器４２０は、Ａ／Ｄコンバータ４０４、逆拡散器４０６およびＳｓi演算器４１６に接続され、チャネルＩからＳｓi演算器４１６で生成されたＳｓiを減算する機能を有する。Ｓｓq減算器４２２は、Ａ／Ｄコンバータ４０４、逆拡散器４０６およびＳｓq演算器４１８に接続され、チャネルＱからＳｓq演算器４１８で生成されたＳｓqを減算する機能を有する。拡散コード生成器４２４は、受信タイミング制御部４１２および各パスの逆拡散器４０６に接続され、拡散コードを生成して、各パスの逆拡散器４０６に送信する機能を有する。ここで、拡散コード生成器４２４は、サーチコード用ショートコード生成器４１４と同一の筐体中に実現してもよい。
【００４２】
次に、このように構成された本実施の形態における無線通信装置の動作の一例について、以下に詳細に説明する。
【００４３】
逆拡散器４０６により逆拡散する場合、上述したように、数式９において、ＳｓiおよびＳｓqは非直交成分となり干渉を発生させるのでこれらの値を減算することにより０にすることにより、本発明の実施形態１では干渉が発生しないことになる。
【００４４】
まず、受信タイミング制御部４１２において、各パスのとまり木チャネルのサーチコードを受信したタイミングをサーチコード用ショートコード生成器４１４に知らせることにより、サーチコード用ショートコード生成器４１４はそのタイミングで、ＣｓiおよびＣｓqをＳｓi演算器４１６およびＳｓq演算器４１８に送信する。Ｓｓi演算器４１６は、数式５によりＳｓiを演算して、Ｓｓi減算器４２０に送信し、また、Ｓｓq演算器４１８は、数式６によりＳｓqを演算して、Ｓｓq減算器４２２に送信する。ついで、Ｓｓi減算器４２０は各パスのＩチャネルからＳｓiを減算し、またＳｓq減算器４２２は、各パスのＱチャネルからＳｓqを減算する。従って、本発明の第１実施形態においては、数式９の演算において、非直交成分であるＳｓiおよびＳｓqを減算するように構成することにより、干渉を除去している。
【００４５】
ここで、受信タイミング制御部４１２は全パスの受信タイミングを制御している。マルチパス対応の無線通信装置では、一般に複数のパスは時間的にずれて送信されるので（例えば、パスが２本の場合には、各パスはそれぞれ第１波と第２波にずれて受信される）、ある１つのパスのサーチコードは、当該パスの個別物理チャネルのみならず、その他のパスの個別物理チャネルとも干渉が生じてしまう。従って、受信タイミング制御部４１２は全パスのうちいずれかのパスにおいてサーチコードを受信したタイミングで、サーチコード用ショートコード生成器４１４に対してタイミングを通知する。
【００４６】
（第２実施形態）
図５は、本発明の第２実施形態が適用されるＣＤＭＡ移動通信方式の無線通信装置の構成の一例を示す図であり、無線通信装置の構成のうち本発明に関係する部分のみを概念的に示している。
【００４７】
ＣＤＭＡ無線通信装置５００は、少なくとも、アンテナ４０２、Ａ／Ｄコンバータ４０４、逆拡散器４０６、検波器４０８、ＲＡＫＥ合成器４１０、受信タイミング制御部４１２、サーチコード用ショートコード生成器４１４、拡散コード生成器４２４、相互相関値演算器５０２およびベクトル減算器５０４から構成される。通常、ＣＤＭＡ無線通信装置５００はマルチパス対応となっており、逆拡散器４０６、検波器４０８およびベクトル減算器５０４は、パス数分存在するが、本実施形態においては、説明の簡略化のためパス数を２つとした場合を一例として説明する。ここで、図４と同一の符号を付した部分は、同一の機能を有するため、説明を省略する。
【００４８】
相互相関値演算器５０２は、受信タイミング制御部４１２、サーチコード用ショートコード生成器４１４および拡散コード生成器４２４に接続され、数式１１における相互相関値である（ＳｓiＣｄi＋ＳｓqＣｄq）および（ＳｓqＣｄi−ＳｓiＣｄq）を演算する機能を有する。ベクトル減算器５０４は、数式１１の演算結果から、相互相関値演算器５０２により演算された相互相関値、すなわち（ＳｓiＣｄi＋ＳｓqＣｄq）および（ＳｓqＣｄi−ＳｓiＣｄq）をベクトル減算する機能を有する。すなわち、上述したように、数式１１において、ＳｓiＣｄi、ＳｓqＣｄq、ＳｓqＣｄiおよびＳｓiＣｄqは、それぞれ直交しないものをかけることになるため干渉が生じ、相関が発生することになるので、本発明の第２実施形態においては、数式１１の演算において、（ＳｓiＣｄi＋ＳｓqＣｄq）および（ＳｓqＣｄi―ＳｓiＣｄq）をベクトル減算するように構成することにより、干渉を除去している。
【００４９】
（他の実施の形態）
上述した実施の形態においては、各実施形態を独立に実現する場合を一例に説明したが、本発明はこの場合に限定されるものではなく、他の実施の形態においては、各実施形態を適宜組み合わせて実施することができることは当業者にとって自明である。
【００５０】
また、上述した実施の形態において、受信タイミング制御部４１２において、各パスの受信レベルを測定してもよい。一般にマルチパスにおいて、各パスの受信レベルは異なる。よって、各パスにおける受信レベルが大きくなると、発生する干渉が大きくなることになる。従って、受信タイミング制御部４１２において測定した各パスの受信レベルに応じて、Ｓｓi減算器４２０は各パスのＩチャネルからＳｓiを減算し、またＳｓq減算器４２２は、各パスのＱチャネルからＳｓqを減算してもよい。さらに、各パスの受信レベルに応じて、ベクトル減算器５０４は、数式１１の演算結果から、相互相関値演算器５０２により演算された相互相関値、すなわち（ＳｓiＣｄi＋ＳｓqＣｄq）および（ＳｓqＣｄi−ＳｓiＣｄq）をベクトル減算してもよい。
【００５１】
【発明の効果】
以上詳細に説明したように、本発明によれば、サーチコードを拡散させるための拡散コードを生成する生成手段と、サーチコードを受信したタイミングを生成手段に通知するタイミング通知手段と、各パスの受信レベルを測定する手段と、通知されたタイミングで生成手段から送信された拡散コードを用いて受信信号から前記サーチコードを減算することによりサーチコードが個別物理チャネルに与える干渉を除去する減算手段とを備え、減算手段は、各パスの受信レベルに応じて、拡散コードを用いて受信信号からサーチコードを減算するので、非直交成分となるサーチコードが個別物理チャネルに与える干渉を除去することができる。
【００５２】
また、本発明によれば、サーチコードを拡散させるための第１拡散コードを生成する第１拡散コード生成手段と、サーチコード以外の信号を拡散させるための第２拡散コードを生成する第２拡散コード生成手段と、第１拡散コードと第２拡散コードとの相互相関値を演算する相互相関値演算手段と、サーチコードを受信したタイミングを相互相関値演算手段に通知するタイミング通知手段と、各パスの受信レベルを測定する手段と、通知されたタイミングで相互相関値演算手段から送信された相互相関値を用いて受信信号からサーチコードをベクトル減算することによりサーチコードが個別物理チャネルに与える干渉を除去するベクトル減算手段とを備え、ベクトル減算手段は、各パスの受信レベルに応じて、相互相関値を用いて受信信号からサーチコードをベクトル減算するので、非直交成分となるサーチコードが個別物理チャネルに与える干渉を除去することができる。
【００５３】
さらに、本発明によれば、タイミング通知手段は、複数のパスのうちいずれかのパスにおいてサーチコードを受信したタイミングを通知するので、あるパスのサーチコードがその他のパスの個別物理チャネルに与える干渉をも除去することができる。
【００５４】
さらにまた、本発明によれば、各パスの受信レベルを測定する手段をさらに備え、減算手段は、各パスの受信レベルに応じて、拡散コードを用いて受信信号からサーチコードを減算するので、各パスの受信レベルが異なる場合においても、受信レベルに応じて干渉を除去することができる。
【００５５】
さらにまた、本発明によれば、各パスの受信レベルを測定する手段をさらに備え、ベクトル減算手段は、各パスの受信レベルに応じて、相互相関値を用いて受信信号からサーチコードをベクトル減算するので、各パスの受信レベルが異なる場合においても、受信レベルに応じて干渉を除去することができる。
【図面の簡単な説明】
【図１】従来技術によるＣＤＭＡ無線通信方式における物理チャネルの信号フォーマットの一例を示す図である。
【図２】ＣＤＭＡ移動通信方式の無線通信装置における拡散コード生成装置の構成の一例を示す図である。
【図３】ＣＤＭＡ移動通信方式の無線通信装置における拡散装置の構成の一例を示す図である。
【図４】本発明の第１実施形態が適用されるＣＤＭＡ移動通信方式の無線通信装置の構成の一例を示す図である。
【図５】本発明の第２実施形態が適用されるＣＤＭＡ移動通信方式の無線通信装置の構成の一例を示す図である。
【符号の説明】
２００  拡散コード生成装置
２０２  ショートコード生成器
２０４  同相成分用ロングコード生成器
２０６  直交成分用ロングコード生成器
２０８  Ｃi演算部
２１０  Ｃq演算部
３００  拡散装置
３０２  排他的論理和演算器
３０４  Ｓi演算部
３０６  Ｓq演算部
４００  ５００  ＣＤＭＡ無線通信装置
４０２  アンテナ
４０４  Ａ／Ｄコンバータ
４０６  逆拡散器
４０８  検波器
４１０  ＲＡＫＥ合成器
４１２  受信タイミング制御部
４１４  サーチコード用ショートコード生成器
４１６  Ｓｓi演算器
４１８  Ｓｓq演算器
４２０  Ｓｓi減算器
４２２  Ｓｓq減算器
４２４  拡散コード生成器
５０２  相互相関値演算器
５０４  ベクトル減算器
【図１】
0003756369.tif 000004
【図２】
0003756369.tif 000005
【図３】
0003756369.tif 000006
【図４】
0003756369.tif 000007
【図５】
0003756369.tif 000008